(57)【要約】【課題】地上デジタル放送の変調変換によるＣＡＴＶ再送信において、受信機の番組配列情報の取得動作を簡潔にすること。【解決手段】ＣＡＴＶ再送信装置毎に独立に運用されている番組配列情報の必要な情報だけを収集し、再送信される全てのトランスポートストリーム各々に、他局の番組配列情報として多重して伝送する。これにより、受信機は視聴中でも他局の番組配列情報をリアルタイムに取得することが可能となり、かつ簡易な構成のＣＡＴＶ再送信システムを構築できる。【選択図】　図１
2004135020.tif 000002
【特許請求の範囲】
【請求項１】
地上デジタル放送波を変調変換してＣＡＴＶ網に再送信するＣＡＴＶ再送信システムにおいて、
地上デジタル放送波を受信してトランスポートストリームを出力するチューナ手段と、出力されたトランスポートストリームから所望の番組配列情報を抽出し出力する番組配列情報抽出手段と、前記番組配列情報を送受信できる通信手段と、前記トランスポートストリーム中の所望の番組配列情報を変換し第２のトランスポートストリームを生成する番組配列情報変換手段と、前記第２のトランスポートストリームと前記通信手段より入力した前記番組配列情報とを多重する多重手段と、前記多重手段の出力を変調しＣＡＴＶ伝送路に出力する変調手段とからなるＣＡＴＶ再送信装置と、
前記ＣＡＴＶ再送信装置の前記通信手段と接続され、前記番組配列情報を収集して第２の番組配列情報を生成・出力する番組配列情報制御装置と、
を備えることを特徴とするＣＡＴＶ再送信システム。
【請求項２】
前記番組配列情報制御装置は、複数の前記ＣＡＴＶ再送信装置と接続されることを特徴とする、請求項１記載のＣＡＴＶ再送信システム。
【請求項３】
前記番組配列情報制御装置は、接続されたそれぞれの前記ＣＡＴＶ再送信装置より前記番組配列情報を収集し、対象となる前記ＣＡＴＶ再送信装置以外の前記番組配列情報の内容が含まれた第２の番組配列情報を前記ＣＡＴＶ再送信装置毎に個別に生成することを特徴とする、請求項２記載のＣＡＴＶ再送信システム。
【請求項４】
前記番組配列情報変換手段は、前記番組配列情報抽出手段で抽出された前記番組配列情報のみを削除して前記第２のトランスポートストリームを生成することを特徴とする、請求項１または請求項２記載のＣＡＴＶ再送信システム。
【請求項５】
前記番組配列情報制御装置は、接続されたそれぞれの前記ＣＡＴＶ再送信装置より前記番組配列情報を収集し、収集した全ての前記番組配列情報の内容が含まれた前記第２の番組配列情報を生成することを特徴とする、請求項４記載のＣＡＴＶ再送信システム。
【請求項６】
地上デジタル放送波を変調変換してＣＡＴＶ網に再送信するＣＡＴＶ再送信システムにおいて、
地上デジタル放送波を受信してトランスポートストリームを出力するチューナ手段と、出力されたトランスポートストリームから所望の番組配列情報を抽出し出力する番組配列情報抽出手段と、前記番組配列情報を送受信できる通信手段と、前記通信手段より入力した番組配列情報を変換できるデータ変換手段と、前記トランスポートストリーム中の所望の番組配列情報を変換し第２のトランスポートストリームを生成する番組配列情報変換手段と、前記第２のトランスポートストリームと前記データ変換手段から出力された前記番組配列情報を多重する多重手段と、前記多重手段の出力を変調しＣＡＴＶ伝送路に出力する変調手段とからなるＣＡＴＶ再送信装置と、
前記ＣＡＴＶ再送信装置の前記通信手段と接続され、前記番組配列情報を収集して第２の番組配列情報を生成・出力する番組配列情報制御装置とを備え、
前記番組配列情報制御装置は、接続された複数の前記ＣＡＴＶ再送信装置より前記番組配列情報を収集し、前記収集した全ての番組配列情報の内容が含まれている前記第２の番組配列情報を生成、複数の前記再ＣＡＴＶ送信装置に出力し、前記データ変換手段は前記番組配列情報制御装置より入力した前記第２の番組配列情報に対して、自局の番組配列情報を削除するとともに、必要部分の変更を行うことで第３の番組配列情報を生成することを特徴とするＣＡＴＶ再送信システム。
【請求項７】
前記番組情報変換手段は、前記番組配列情報中のネットワーク記述部分を全て同一の第２のネットワークに変換した第２のトランスポートストリームを生成し、前記番組配列情報制御装置は、前記第２の番組配列情報を全て前記第２のネットワークとして生成することを特徴とする、請求項１または請求項２または請求項３または請求項４または請求項５または請求項６記載のＣＡＴＶ再送信システム。
【請求項８】
地上デジタル放送波を変調変換してＣＡＴＶ網に再送信するＣＡＴＶ再送信システムにおいて、
地上デジタル放送波を受信してトランスポートストリームを出力するチューナ手段と、出力されたトランスポートストリームから所望の番組配列情報を抽出し出力する番組配列情報抽出手段と、前記番組配列情報を送受信できる通信手段と、前記通信手段から入力した情報より第２の番組配列情報を生成する番組配列情報生成手段と、前記トランスポートストリーム中の所望の番組配列情報を変換し第２のトランスポートストリームを生成する番組配列情報変換手段と、前記第２のトランスポートストリームと前記第２の番組配列情報を多重する多重手段と、前記多重手段の出力を変調しＣＡＴＶ伝送路に出力する変調手段とからなるＣＡＴＶ再送信装置を備え、
前記ＣＡＴＶ再送信装置は前記通信手段により複数の前記ＣＡＴＶ再送信装置と互いに接続され、自らの番組配列情報を接続された他の前記ＣＡＴＶ再送信装置に送信すると共に、他の前記ＣＡＴＶ再送信装置の番組配列情報を入手し、前記番組情報生成手段は前記通信手段より入手した他の前記ＣＡＴＶ再送信装置全ての番組配列情報より前記第２の番組配列情報を生成すること
を特徴とするＣＡＴＶ再送信システム。
【請求項９】
前記番組情報変換手段は、前記番組配列情報中のネットワーク記述部分を全て同一の第２のネットワークに変換した第２のトランスポートストリームを生成し、前記番組配列情報生成手段は、前記第２の番組配列情報を全て第２のネットワークとして生成することを特徴とする、請求項８記載のＣＡＴＶ再送信システム。
【請求項１０】
請求項１〜請求項９のいずれか１項に記載のＣＡＴＶ再送信システムと前記ＣＡＴＶ伝送路を通じて接続され、視聴中に全ての番組配列情報を取得する動作を行う受信機で構成されることを特徴とする、ＣＡＴＶシステム。
【請求項１１】
前記ＣＡＴＶ再送信装置の前記番組配列情報抽出手段で抽出される番組配列情報は、ＮＩＴ（Ｎｅｔｗｏｒｋ　Ｉｎｆｏｒｍａｔｉｏｎ　Ｔａｂｌｅ）、ＢＩＴ（Ｂｒｏａｄｃａｓｔｅｒ　Ｉｎｆｏｒｍａｔｉｏｎ　Ｔａｂｌｅ）、ＳＤＴ（Ｓｅｒｖｉｃｅ　Ｄｅｓｃｒｉｐｔｉｏｎ　Ｔａｂｌｅ）、ＥＩＴ（Ｅｖｅｎｔ　Ｉｎｆｏｒｍａｔｉｏｎ　Ｔａｂｌｅ）であることを特徴とする、請求項１０に記載のＣＡＴＶシステム。
【請求項１２】
前記ＣＡＴＶ再送信装置は、前記トランスポートストリーム中の対象となる前記番組配列情報以外は変更しないことを特徴とする、請求項１０または請求項１１に記載のＣＡＴＶシステム。
【発明の詳細な説明】
【０００１】
【発明の属する技術分野】
本発明は、地上デジタル放送を変調変換してＣＡＴＶに再送信する場合に、受信機がＢＳデジタル放送のＣＡＴＶ再送信時と同じ手段で、伝送される全てのサービスの番組配列情報を取得できるようにするためのＣＡＴＶ再送信システムに関するものである。
【０００２】
【従来の技術】
現在、ＣＡＴＶ会社では放送のデジタル化が進められている。しかしながら、デジタル化に伴い伝送できるチャンネル数が増大するため、コンテンツの確保が大きな課題となっている。この問題に対応するため、これまでに衛星放送であるＢＳデジタル放送や東経１１０度ＣＳデジタル放送（以下１１０ＣＳ放送）のＣＡＴＶ再送信が行われてきている。これらのデジタル放送のＣＡＴＶ再送信にはいくつかの方式が提案されているが、その中でも変調変換、またはトランスモジュレーション（以下ＴＭと呼ぶ）と呼ばれる方式は、デジタル放送の全てのサービスを伝送することができ、またＣＡＴＶ会社で衛星放送からの番組を一旦サービス毎に復調し再び番組構成を組み替えて再送信する、いわゆるＲｅｍｕｘシステム（例えば特許文献１参照）等のＣＡＴＶ独自のデジタル放送と共に同一の変調手段によって伝送できるため、ＣＡＴＶ会社が提供するサービスを一つの受信機で全て受信できる可能性がある。実際、ＢＳデジタル放送や１１０ＣＳ放送、ＣＡＴＶ会社が独自で行うデジタル放送を同じ受信機で受信する運用が実現されている。地上デジタル放送についても、いくつかのＣＡＴＶ再送信方式が提案されているが、上記のような観点から変調変換による再送信が有力な方式の一つと考えられている。
【０００３】
地上デジタル放送では、ＢＳデジタル放送や１１０ＣＳ放送と同様にＭＰＥＧ（Ｍｏｖｉｎｇ　Ｐｉｃｔｕｒｅｓ　Ｅｘｐｅｒｔｓ　Ｇｒｏｕｐ）システムが用いられる。ＭＰＥＧシステムではデジタル放送信号の圧縮と符号化及び多重化が行なわれ、さらにトランスポートストリームに流れている番組とその番組構成を示すテーブル情報が含まれており、互いに関連をもって番組配列情報（ＰＳＩ：Ｐｒｏｇｒａｍ　Ｓｐｅｃｉｆｉｃ　Ｉｎｆｏｒｍａｔｉｏｎ／ＳＩ：Ｓｅｒｖｉｃｅ　Ｉｎｆｏｒｍａｔｉｏｎ）を構成している。
【０００４】
この番組配列情報には、デジタル受信機がサービスを選局するために必要な情報や、ＥＰＧ（Ｅｌｅｃｔｒｏｎｉｃ　Ｐｒｏｇｒａｍ　Ｇｕｉｄｅ）等の番組選局を容易にするための機能に必要な情報が記述されている。ＢＳデジタル放送や１１０ＣＳ放送は、それぞれのプラットフォーム毎にネットワークを構成しており、ネットワーク内の番組配列情報はネットワーク内の全てのトランスポートストリームに一斉に送信する、所謂全局ＳＩシステムで運用されている。これにより、受信機はどのチャンネルを選局中であっあても、ネットワーク内の全ての番組配列情報をリアルタイムに得ることができる。
【０００５】
【特許文献１】
特開２０００−３５０１８０号公報　「ケーブルテレビのデジタル放送再送信装置、及びケーブルテレビのデジタル放送受信装置、及びテレビジョン受像機、及びケーブルテレビのデジタル放送再送信・受信システム」
【０００６】
【発明が解決しようとする課題】
しかしながら、地上デジタル放送においては、ＢＳデジタル放送や１１０ＣＳ放送とは違い、放送局毎に独立したネットワークで運用されている。すなわち、トランスポートストリームには、自らの情報のみ記述された番組配列情報が伝送されているため、受信機は他のトランスポートストリームの番組配列情報については、そのトランスポートストリームが流れているチャンネルを選局しない限り入手できないという課題があった。このため、受信機は視聴されていない時間に全てのチャンネルを順番に選局することで、全ての番組配列情報を入手する等の番組配列情報を収集する機能が必須となるが、この場合でも他のチャンネルの番組が急に変更された場合などにはリアルタイムに追従することができない。また、変調変換してＣＡＴＶ網に再送信するシステムでは、収集するために検索しなければならない周波数範囲が広範囲に渡る。このため、例えば周波数情報が変更された場合などでは、全ての周波数範囲を検索することが必要になり、受信機は長時間視聴不可能な状態になってしまう。さらに、これらの動作はＢＳデジタル放送や１１０ＣＳ放送とは異なるため、地上デジタル放送専用の受信機が必要となるか、もしくは受信機内部で地上デジタルのみ全く別のソフトウェアで動作させることが必要となる。このため、全体として機器構成が複雑で利便性が悪く、さらにコストのかかるシステムとなる。
【０００７】
また、地上デジタル放送をＣＡＴＶに再送信する方法として特開２００２−３５０１８０に示すような方法も考えられるが、この場合には地上デジタルの放送局が送出する全サービスを一旦サービス単位に復調・分離するため、全サービスの再多重やＣＡ（Ｃｏｎｄｉｔｉｏｎａｌ　Ａｃｃｅｓｓ）システム等を構築する必要があり、全体として非常に複雑で高価なシステムとなる。
【０００８】
また、ＥＰＧを構築するためには、再送信システムで新たに定義するテーブルが必要であり、受信機はこの特殊なテーブルを解釈することが必須となる。
この発明は、上記の課題を解決するためになされたもので、地上デジタル放送を変調変換によりＣＡＴＶ網に再送信するシステムにおいて、受信機が番組を視聴中でもリアルタイムに他のチャンネルの番組配列情報を入手できるようにすることを目的としている。
【０００９】
また、この発明は、地上デジタル放送を単一のネットワーク上で運用することで、受信機がＢＳデジタル放送や１１０ＣＳ放送と同様な受信動作で全てのサービスを受信できるようにすることを目的としている。
さらにこの発明は、地上デジタルの放送局より送られてきた番組配列情報の構成自体には手を加えずに、番組配列情報の中の必要な一部分のみに変更を加えるだけであり、トランスポートストリーム内のその他全てのパケットはそのまま変調変換して送出する構成にすることで、非常に簡単で安価なシステムを提供することを目的としている。
【００１０】
【課題を解決するための手段】
このような課題を解決するために、本発明は、地上デジタル放送波を変調変換してＣＡＴＶ網に再送信するＣＡＴＶ再送信システムにおいて、地上デジタル放送波を受信してトランスポートストリームを出力するチューナ手段と、出力されたトランスポートストリームから所望の番組配列情報を抽出し出力する番組配列情報抽出手段と、前記番組配列情報を送受信できる通信手段と、前記トランスポートストリーム中の所望の番組配列情報を変換し第２のトランスポートストリームを生成する番組配列情報変換手段と、前記第２のトランスポートストリームと前記通信手段より入力した前記番組配列情報とを多重する多重手段と、前記多重手段の出力を変調しＣＡＴＶ伝送路に出力する変調手段とからなるＣＡＴＶ再送信装置と、前記ＣＡＴＶ再送信装置の前記通信手段と接続され、前記番組配列情報を収集して第２の番組配列情報を生成・出力する番組配列情報制御装置と、を備えることを特徴とする。
【００１１】
また、前記番組配列情報制御装置は、複数の前記ＣＡＴＶ再送信装置と接続されることを特徴とする。
また、前記番組配列情報制御装置は、接続されたそれぞれの前記ＣＡＴＶ再送信装置より前記番組配列情報を収集し、対象となる前記ＣＡＴＶ再送信装置以外の前記番組配列情報の内容が含まれた第２の番組配列情報を前記ＣＡＴＶ再送信装置毎に個別に生成することを特徴とする。
【００１２】
また、前記番組配列情報変換手段は、前記番組配列情報抽出手段で抽出された前記番組配列情報のみを削除して前記第２のトランスポートストリームを生成することを特徴とする。
前記番組配列情報制御装置は、接続されたそれぞれの前記ＣＡＴＶ再送信装置より前記番組配列情報を収集し、収集した全ての前記番組配列情報の内容が含まれた前記第２の番組配列情報を生成することを特徴とする。
【００１３】
また、地上デジタル放送波を変調変換してＣＡＴＶ網に再送信するＣＡＴＶ再送信システムにおいて、地上デジタル放送波を受信してトランスポートストリームを出力するチューナ手段と、出力されたトランスポートストリームから所望の番組配列情報を抽出し出力する番組配列情報抽出手段と、前記番組配列情報を送受信できる通信手段と、前記通信手段より入力した番組配列情報を変換できるデータ変換手段と、前記トランスポートストリーム中の所望の番組配列情報を変換し第２のトランスポートストリームを生成する番組配列情報変換手段と、前記第２のトランスポートストリームと前記データ変換手段から出力された前記番組配列情報を多重する多重手段と、前記多重手段の出力を変調しＣＡＴＶ伝送路に出力する変調手段とからなるＣＡＴＶ再送信装置と、前記ＣＡＴＶ再送信装置の前記通信手段と接続され、前記番組配列情報を収集して第２の番組配列情報を生成・出力する番組配列情報制御装置とを備え、前記番組配列情報制御装置は、接続された複数の前記ＣＡＴＶ再送信装置より前記番組配列情報を収集し、前記収集した全ての番組配列情報の内容が含まれている前記第２の番組配列情報を生成、複数の前記再ＣＡＴＶ送信装置に出力し、前記データ変換手段は前記番組配列情報制御装置より入力した前記第２の番組配列情報に対して、自局の番組配列情報を削除するとともに、必要部分の変更を行うことで第３の番組配列情報を生成することを特徴とする。
【００１４】
また、前記番組情報変換手段は、前記番組配列情報中のネットワーク記述部分を全て同一の第２のネットワークに変換した第２のトランスポートストリームを生成し、前記番組配列情報制御装置は、前記第２の番組配列情報を全て前記第２のネットワークとして生成することを特徴とする。
地上デジタル放送波を変調変換してＣＡＴＶ網に再送信するＣＡＴＶ再送信システムにおいて、地上デジタル放送波を受信してトランスポートストリームを出力するチューナ手段と、出力されたトランスポートストリームから所望の番組配列情報を抽出し出力する番組配列情報抽出手段と、前記番組配列情報を送受信できる通信手段と、前記通信手段から入力した情報より第２の番組配列情報を生成する番組配列情報生成手段と、前記トランスポートストリーム中の所望の番組配列情報を変換し第２のトランスポートストリームを生成する番組配列情報変換手段と、前記第２のトランスポートストリームと前記第２の番組配列情報を多重する多重手段と、前記多重手段の出力を変調しＣＡＴＶ伝送路に出力する変調手段とからなるＣＡＴＶ再送信装置を備え、前記ＣＡＴＶ再送信装置は前記通信手段により複数の前記ＣＡＴＶ再送信装置と互いに接続され、自らの番組配列情報を接続された他の前記ＣＡＴＶ再送信装置に送信すると共に、他の前記ＣＡＴＶ再送信装置の番組配列情報を入手し、前記番組情報生成手段は前記通信手段より入手した他の前記ＣＡＴＶ再送信装置全ての番組配列情報より前記第２の番組配列情報を生成することを特徴とする。
【００１５】
また、前記番組情報変換手段は、前記番組配列情報中のネットワーク記述部分を全て同一の第２のネットワークに変換した第２のトランスポートストリームを生成し、前記番組配列情報生成手段は、前記第２の番組配列情報を全て第２のネットワークとして生成することを特徴とする。
また、ＣＡＴＶ再送信システムと前記ＣＡＴＶ伝送路を通じて接続され、視聴中に全ての番組配列情報を取得する動作を行う受信機で構成されることを特徴とする。
【００１６】
また、前記ＣＡＴＶ再送信装置の前記番組配列情報抽出手段で抽出される番組配列情報手段は、ＮＩＴ、ＢＩＴ、ＳＤＴ、ＥＩＴであることを特徴とする。
前記ＣＡＴＶ再送信装置は、前記トランスポートストリーム中の対象となる前記番組配列情報以外は変更しないことを特徴とする。
【００１７】
【発明の実施の形態】
次に、この発明によるＣＡＴＶ再送信システムの実施の形態について図面に基づき説明する。
【００１８】
（実施の形態１）
図１は本実施例の形態におけるＣＡＴＶ再送信システムの構成図の一例である。図１において、１００は図示しない地上デジタル放送用アンテナからの信号を受信し再送信を行うＣＡＴＶ再送信装置、１０１は地上デジタル放送の信号を受信し、トランスポートストリームを出力するチューナ部、１０２はチューナ部１０１から出力されたトランスポートストリーム上の所望の番組配列情報を選択し変更を加える番組配列情報変換部、１０３はチューナ部１０１から出力されたトランスポートストリームから所望の番組配列情報を抽出する番組配列情報抽出部、１０４は入力されたトランスポートストリームを多重する多重部、１０５は多重部１０４からのトランスポートストリームを変調し、図示しないＣＡＴＶ伝送路に出力する変調部、１０６は外部機器と通信する通信部、２００はＣＡＴＶ再送信装置１００からの番組配列情報を収集し第２の番組配列情報を生成する番組配列情報制御装置、６００はＣＡＴＶ伝送路、７００はＣＡＴＶ再送信システムからの信号を受信できる受信機、８００は受信機が受信したサービスを表示するテレビである。
【００１９】
まず、ＣＡＴＶ再送信装置１００の動作について説明を行う。
チューナ部１０１より出力されたトランスポートストリームは、番組配列情報変換部において番組配列情報中の変更する必要のある部分のみが変換され第２のトランスポートストリームが生成される。例えば、ＮＩＴ（Ｎｅｔｗｏｒｋ　Ｉｎｆｏｒｍａｔｉｏｎ　Ｔａｂｌｅ）情報の中の周波数情報は、地上デジタルで使用する周波数とＣＡＴＶ伝送路６００で使用する周波数が異なる可能性があるため、異なる場合には周波数テーブルの変換が必要である。生成された第２のトランスポートストリームは多重部１０４に入力される。一方、チューナ部１０１より出力されたトランスポートストリームは番組配列情報抽出部１０３にも入力される。番組配列情報抽出部１０３では、他局で必要となる番組配列情報例えばＮＩＴ、ＢＩＴ、ＳＤＴ、ＥＩＴ）のみを抽出し、通信部１０６を通して番組配列情報制御装置２００に送出する。番組配列情報制御装置２００では、ＣＡＴＶ再送信装置１００で抽出された番組配列情報を収集し、第２の番組配列情報の生成を行う。第２の番組配列情報は番組配列制御装置２００よりＣＡＴＶ再送信装置１００の通信部１０６で受信され、多重部１０４に送られる。第２のトランスポートストリームと第２の番組配列情報は多重部１０４で多重後、変調部１０５で変調され、ＣＡＴＶ伝送路６００に出力される。変調された信号はＣＡＴＶ伝送路６００に接続されている全ての受信機７００に入力され、受信機７００は番組配列情報を元に選局動作を行い、テレビ８００に映像の表示やＥＰＧ表示等が行える。
【００２０】
図１１は、ＣＡＴＶシステム全体の接続の一例を示している。９００はＣＡＴＶ送信装置からの出力を合波する合波器である。地上デジタル放送は、通常複数チャンネルが存在するため、図１１に示すように番組配列情報制御装置２００には複数のＣＡＴＶ再送信装置１００が接続され、それぞれの出力は合波器で合波されＣＡＴＶ伝送路５００に出力される。また、ＣＡＴＶ伝送路５００には複数の受信機７００が接続されており、全ての受信機で同様のサービスをテレビ８００に表示することができる。
【００２１】
図２は、ＣＡＴＶ再送信装置１００と番組配列情報制御装置２００の接続とその間の通信内容の一例である。図２において、Ｘ台接続されたＣＡＴＶ再送信装置１００をＣＡＴＶ再送信装置１００１〜ＣＡＴＶ再送信装置１００Ｘと番号を付与している。また、３００はそれぞれのＣＡＴＶ再送信装置からの番組配列情報、４００は番組配列制御装置２００から出力される第２の番組配列情報であり、ＣＡＴＶ再送信装置１００１〜ＣＡＴＶ再送信装置１００Ｘに対応付けて、番組配列情報３００１〜番組配列情報３００Ｘ、第２の番組配列情報４００１〜第２の番組配列情報４００Ｘと番号を付与している。
【００２２】
番組配列情報制御装置２００は、ＣＡＴＶ再送信装置１００１〜ＣＡＴＶ再送信装置１００Ｘで抽出された番組配列情報３００１〜番組配列情報３００Ｘを収集し、第２の番組配列情報４００を生成する。この時、ＣＡＴＶ再送信装置１００１〜ＣＡＴＶ再送信装置１００Ｘ毎に個別に第２の番組配列情報４００１〜第２の番組配列情報４００Ｘが生成される。それぞれの違いは、対象となる装置以外の番組配列情報が生成されているところにある。
【００２３】
図３は、ＣＡＴＶ再送信装置１００１用の第２の番組配列情報４００１を生成した一例である。ＣＡＴＶ再送信装置１００１用に生成される第２の番組配列情報には、ＣＡＴＶ再送信装置１００２〜ＣＡＴＶ再送信装置１００Ｘから収集した番組配列情報３００２〜番組配列情報３００Ｘが含まれるように生成される。ＣＡＴＶ再送信装置１００から収集する番組配列情報３００は、それぞれ自局の番組配列情報であることを示すＰＩＤ（Ｐａｃｋｅｔ　Ｉｄｅｎｔｉｆｉｅｒ：以下ＰＩＤと略す）が付与されているため、番組配列情報制御装置２００ではこのＰＩＤのみを他局のＰＩＤを示すように変更する必要がある。変更した番組配列情報をそれぞれ３００２１〜３００Ｘ１の番号を付与している。ＣＡＴＶ再送信装置１００１用の第２の番組配列情報４００１は、番組配列情報３００２１〜番組配列情報３００Ｘ１を単に連結させただけで構成される。
【００２４】
このようにして生成された第２の番組配列情報４００１は、図４に示すように番組配列情報制御装置２００から他局の番組配列情報としてＣＡＴＶ再送信装置１００１に入力され、ＣＡＴＶ再送信装置１００１は自局の番組配列情報が含まれているトランスポートストリームに他局の番組配列情報４００１を多重部１０４で多重してＣＡＴＶ伝送路６００に出力する。
【００２５】
以上の動作により、受信機７００はどのトランスポートストリームを受信中でも他局の番組配列情報をリアルタイムに取得することが可能となる。
なお、この例ではＣＡＴＶ再送信装置１００１のみの動作を示したが、ＣＡＴＶ再送信装置１００２〜ＣＡＴＶ再送信装置１００Ｘでも同様な動作をすることは言うまでもない。
【００２６】
また、この例では番組配列情報制御装置で生成される第２の番組配列情報４００は、対象となる装置以外の番組配列情報が生成されるとしたが、図５に示すように対象となる装置を含めた第２の番組配列情報が生成されるようにしてもよい。この場合、ＣＡＴＶ再送信装置１００１では、あらかじめ番組配列情報制御装置に送られた番組配列情報３００１は、番組配列情報変換部１０２でトランスポートストリームから削除される。
【００２７】
また、この例では、番組配列情報３００の変更は自局であることを示すＰＩＤ部分のみとしているが、各ＣＡＴＶ再送信装置１００に流れているトランスポートストリーム上の番組構成と整合性が取れている限り、番組配列情報３００のその他の部分に変更を加えてもよい。
また、この例ではそれぞれのＣＡＴＶ再送信装置１００から収集した番組配列情報３００を変更して連結だけで第２の番組配列情報４００を生成しているが、番組配列情報３００の情報を元に新たに第２の番組配列情報４００を生成してもよい。
【００２８】
また、全ての番組配列情報中のネットワーク情報を全て同一のネットワーク情報に変更して運用してもよい。すなわち、ＣＡＴＶ再送信装置１００の番組配列情報変換部１０２で自局の番組配列情報中のネットワーク情報を、番組配列情報制御装置２００で第２の番組配列情報中のネットワーク情報を、全て同一のネットワーク情報に変更する。これにより、それぞれの局が独立のネットワークで運用される地上デジタル放送を、ＣＡＴＶ網では全て単一のネットワークとして扱うことが可能となる。
【００２９】
（実施の形態２）
次に、本発明の実施の形態２について図６を用いて説明する。図６において、図１に示した構成と同等機能のものには同一番号を付している。実施の形態１との相違点は、番組配列情報制御装置から入力される第２の番組配列情報から、自局の番組配列情報のみを削除し、第３の番組配列情報を生成するデータ変換部１０７がＣＡＴＶ再送信装置に追加されている点にある。
【００３０】
図７は、本実施の形態の場合の番組配列情報制御装置２００とＣＡＴＶ再送信装置１００間の番組配列情報の状態を示した図である。番組配列情報制御装置２００では、実施の形態１のように、各ＣＡＴＶ再送信装置１００毎に個別に第２の番組配列情報４００を生成する必要がなく、接続される全てのＣＡＴＶ再送信装置１００共通の第２の番組配列情報４００を生成することができる。
【００３１】
図８は、本実施の形態において、番組配列情報制御装置２００でＣＡＴＶ再送信装置１００の第２の番組配列情報４００を生成した一例である。この場合には、ＣＡＴＶ再送信装置１００より収集した全ての番組配列情報３００を連結するのみで第２の番組配列情報４００が生成される。
ＣＡＴＶ再送信装置１００は、第２の番組配列情報４００を受信し、データ変換部１０７で自局の番組情報のみを削除する。同時に、第２の番組配列情報４００を構成する他ＣＡＴＶ再送信装置の番組配列情報３００は自局ＰＩＤが付与されているため、全て他局ＰＩＤに変更し、第３の番組配列情報を生成する。多重部１０４では、自局の番組配列情報が含まれているトランスポートストリームに第３の番組配列情報を多重され、多重されたトランスポートストリームは変調部１０５で変調された後、ＣＡＴＶ伝送路６００に出力される。
【００３２】
このように、番組配列情報制御部２００は実施の形態１に比べて簡単な構成にすることができる。
なお、この例では、第２の番組配列情報４００を構成する番組配列情報３００の自局ＰＩＤをデータ変換部１０７で他局ＰＩＤに変更する構成としたが、第２の番組配列情報４００を構成する番組配列情報３００の自局ＰＩＤを全て他局ＰＩＤに変更し、データ変換部１０７では、その中の自局の番組配列情報３００のみ削除するようにしてもよい。
【００３３】
また、実施の形態１と同様に、全ての番組配列情報中のネットワーク情報を全て同一のネットワーク情報に変更して運用してもよい。すなわち、ＣＡＴＶ再送信装置１００の番組配列情報変換部１０２で自局の番組配列情報中のネットワーク情報を、番組配列情報制御装置２００で第２の番組配列情報中のネットワーク情報を、全て同一のネットワーク情報に変更する。これにより、それぞれの局が独立のネットワークで運用される地上デジタル放送を、ＣＡＴＶ網では全て単一のネットワークとして扱うことが可能となる。
【００３４】
（実施の形態３）
次に、本発明の実施の形態３について、図９を用いて説明する。図９において、図６に示した構成と同等機能のものには同一番号を付している。図６との構成上の違いは、データ変換部１０７の代わりに、他ＣＡＴＶ再送信装置１００から他局の番組配列情報３００を収集し、第２の番組配列情報４００を生成する番組配列情報生成部１０８が追加されている点にある。
【００３５】
図１０は、本実施の形態におけるＣＡＴＶ再送信装置１００の接続状態を示している。少なくとも１台以上のＣＡＴＶ再送信装置が通信線５００に接続され、互いにデータを送受信することができる。例として、ＣＡＴＶ再送信装置１００１の動作について説明する。
ＣＡＴＶ再送信装置１００１は、自局の番組配列情報３００１を他ＣＡＴＶ再送信装置１００２〜ＣＡＴＶ再送信装置１００Ｘに送信すると共に、他全てのＣＡＴＶ再送信装置１００２〜ＣＡＴＶ再送信装置１００Ｘより番組配列情報３００２〜番組配列情報３００Ｘを収集する。ＣＡＴＶ再送信装置１００の番組配列情報生成部１０８では、収集した他局の番組配列情報３００２〜番組配列情報３００ＸのＩＤを他局ＰＩＤに変更し、それぞれ連結することで第２の番組配列情報を生成する。多重部１０４では、自局の番組配列情報が含まれているトランスポートストリームに第２の番組配列情報が多重され、多重されたトランスポートストリームは変調部１０５で変調された後、ＣＡＴＶ伝送路６００に出力される。
【００３６】
このような構成により、実施の形態１または実施の形態２で必要であった番組配列情報制御装置２００を削除することができる。
なお、この例では番組配列情報生成部１０８で収集した番組配列情報のＰＩＤを他局に変更する構成としたが、ＣＡＴＶ再送信装置が自局の番組配列情報３００を送出する時にあらかじめ他局ＰＩＤに変更して出力するような構成にしてもよい。
【００３７】
また、実施の形態１や実施の形態２と同様に、全ての番組配列情報中のネットワーク情報を全て同一のネットワーク情報に変更して運用してもよい。すなわち、ＣＡＴＶ再送信装置１００の番組配列情報変換部１０２で自局の番組配列情報中のネットワーク情報を、番組配列情報生成部で第２の番組配列情報中のネットワーク情報を、全て同一のネットワーク情報に変更する。これにより、それぞれの局が独立のネットワークで運用される地上デジタル放送を、ＣＡＴＶ網では全て単一のネットワークとして扱うことが可能となる。
【００３８】
【発明の効果】
以上のように、本発明によれば、地上デジタル放送のＣＡＴＶ再送信において、各局が独立で運用されている地上デジタル放送の他局に必要な番組配列情報のみを収集し、ＣＡＴＶ網に伝送する全てのトランスポートストリーム各々に、自局の番組配列情報だけでなく他局の番組配列情報も含んで伝送するため、受信機は番組を視聴中でもリアルタイムに他のチャンネルの番組配列情報を入手することができ、視聴していない時に他のチャンネルを選局して番組配列情報を収集する等の複雑な機能を省くことができる。
【００３９】
また、本発明によれば、番組配列情報のネットワーク情報を全て単一のネットワーク情報に変更できるので、受信機はＢＳデジタル放送や１１０ＣＳ放送と同様な受信動作を行うことができる。
さらに、本発明によれば、地上デジタルの放送局より送られてきた番組配列情報の構成自体には手を加えずに、番組配列情報の中の必要な一部分のみに変更を加えるだけであり、トランスポート内のその他全てのパケットはそのまま変調変換して送出するような構成であるので、非常に簡単で安価なシステムを提供することができる。
【図面の簡単な説明】
【図１】本発明の実施の形態１に係る、ＣＡＴＶ再送信装置のブロック構成図の一例
【図２】本発明の実施の形態１に係る、ＣＡＴＶ再送信装置と番組配列情報制御装置の接続形態の一例
【図３】本発明の実施の形態１に係る、第２の番組配列情報の生成例
【図４】本発明の実施の形態１に係る、他局番組配列情報の多重イメージ例
【図５】本発明の実施の形態１に係る、第２の番組配列情報の生成例２
【図６】本発明の実施の形態２に係る、ＣＡＴＶ再送信装置のブロック構成図の一例
【図７】本発明の実施の形態２に係る、ＣＡＴＶ再送信装置と番組配列情報制御装置の接続形態の一例
【図８】本発明の実施の形態２に係る、第２の番組配列情報の生成例
【図９】本発明の実施の形態３に係る、ＣＡＴＶ再送信装置のブロック構成図の一例
【図１０】本発明の実施の形態２に係る、ＣＡＴＶ再送信装置の接続形態と番組配列情報の通信内容の一例
【図１１】ＣＡＴＶシステム全体構成の一例
【符号の説明】
１００　ＣＡＴＶ再送信装置
１０１　チューナ部
１０２　番組配列情報変換部
１０３　番組配列情報抽出部
１０４　多重部
１０５　変調部
１０６　通信部
１０７　データ変換部
１０８　番組配列情報生成部
２００　番組配列情報制御装置
３００　ＣＡＴＶ再送信装置より出力される番組配列情報
４００　番組配列情報制御装置で生成される第２の番組配列情報
５００　通信線
６００　ＣＡＴＶ伝送路
７００　受信機
８００　テレビ
９００　合波器
１００１〜１００Ｘ　複数台を識別するためのＣＡＴＶ再送信装置毎の番号
３００１〜３００Ｘ　各ＣＡＴＶ再送信装置で抽出された番組配列情報を識別するための番号
３００１１〜３００Ｘ１　第２の番組配列情報を構成する、番組配列情報制御装置で変更された後の各番組配列情報を識別するための番号
４００１〜４００Ｘ　各ＣＡＴＶ再送信装置への第２の番組配列情報を識別するための番号
【図１】
2004135020.tif 000003
【図２】
2004135020.tif 000004
【図３】
2004135020.tif 000005
【図４】
2004135020.tif 000006
【図５】
2004135020.tif 000007
【図６】
2004135020.tif 000008
【図７】
2004135020.tif 000009
【図８】
2004135020.tif 000010
【図９】
2004135020.tif 000011
【図１０】
2004135020.tif 000012
【図１１】
2004135020.tif 000013